(57)【要約】【課題】正贋判定を必要とされる帳票、証券、紙幣等の紙類やバッグ・時計等ブランドものに付するＩＣタグを取り出し、偽物に埋め込むという悪用を防ぐ。【解決手段】  ダミーＩＣタグを正規ＩＣタグと一緒に紙類やバッグ等に埋め込む。【選択図】なし【特許請求の範囲】
【請求項１】
特定番号が記録されたＩＣタグと、ダミーＩＣタグとを付された紙類。
【請求項２】
請求項１において、上記ダミーＩＣタグは当該紙類を示す番号範囲とは異なる番号が記録されているものである紙類。
【請求項３】
請求項１において、上記ダミーＩＣタグは記録された番号が正常に読み出せないものである紙類。
【請求項４】
請求項１乃至３において、上記ダミーＩＣタグは上記正規ＩＣタグと外観または形状が同一のものである紙類。
【請求項５】
請求項１乃至４において、上記ダミーＩＣタグは複数であり、上記紙類内にほぼランダムに配置されたものである紙類。
【請求項６】
ＩＣタグから記録情報を読み取る読取装置において、読取対象に含まれる複数のＩＣタグから読み取られた番号が所定のものかどうかを判断する手段と、所定のものであると判断する番号がある場合にその旨を示す出力を行う手段とを有するＩＣタグ読取装置。
【請求項７】
複数のＩＣタグを含む紙類を一枚ずつ読取部に供給する供給部と、読取対象の一枚を上記読取部で読取終わったかどうかを判定する判定部と、当該読取対象の一枚に含まれる複数のＩＣタグから読み取られた番号がすべて所定のものと違うかどうかを判断する判断手段と、当該判断手段により当該読取対象の一枚に含まれる複数のＩＣタグから読み取られた番号がすべて所定のものと違うと判断された場合に当該読取対象の一枚を通常トレイと異なる異常トレイに仕分ける仕分け手段とを有するＩＣタグ読取装置。
【請求項８】
ＩＣタグ読取装置により記録番号が読み出せる第１のＩＣタグと、当該ＩＣタグ読取装置で記録番号が読み出せない第２のＩＣタグとを含み、上記第１のＩＣタグよりも上記第２のＩＣタグの方が多いＩＣタグセット
【請求項９】
特定の物品用に割り当てられた番号が記録されたＩＣタグと、当該物品には用いられない番号が記録されたダミーＩＣタグとを含み、上記ＩＣタグよりも上記ダミーＩＣタグの方が多いＩＣタグセット。
【請求項１０】
ＩＣタグ製造工程において良品と判断された良品ＩＣタグを用意する第１ステップと、上記ＩＣタグ製造工程において不良と判断された不良品ＩＣタグを上記良品と判断されたＩＣタグよりも多い数量用意する第２ステップと、上記第１ステップと第２ステップで用意された良品ＩＣタグ及び不良品ＩＣタグを一つのセットとする第３ステップとを有するＩＣタグセット製造方法。
【請求項１１】
第１の範囲の番号を記録したＩＣタグを製造する第１ＩＣタグ製造工程と、第２の範囲の番号を記録したＩＣタグを製造する第２ＩＣタグ製造工程と、上記第１ＩＣタグ製造工程において不良とされたＩＣタグと上記第２ＩＣタグ製造工程で良品とされたＩＣタグとを合わせたセットを作成するセット作成工程とを有するＩＣタグセット製造方法。
【請求項１２】
特定の物品用に割り当てられた番号が記録されたＩＣタグを用意する第１ステップと、当該物品には用いられない番号が記録されたダミーＩＣタグを上記特定物品用ＩＣタグよりも多い数量用意する第２ステップと、上記第１ステップと第２ステップで用意された特定物品用ＩＣタグ及びダミーＩＣタグを一つのセットとする第３ステップとを有するＩＣタグセット製造方法。
【発明の詳細な説明】
【技術分野】
【０００１】  正贋判定を必要とされる金券、帳票、証券、紙幣等の紙類、キャッシュカードやクレジットカード等のカード類やバッグ・時計等ブランドものに付するＩＣタグの利用方法と、その方法を実現する読取装置や製造方法に関する技術である。
【背景技術】
【０００２】  米粒以下の大きさのＩＣタグは、紙類に漉き込むことや皮革類内に忍ばせることができ、物品の外観を損ねない点でその利用が注目されている。
【発明の開示】
【発明が解決しようとする課題】
【０００３】  現在のＩＣタグはそれが付された物品の属性やＩＤを示すのが目的であり、信頼性が高いので、逆に悪用された場合を想定していない。米粒以下の大きさのＩＣタグであっても、光やＸ線等で紙類やバッグ等のどの部分に埋め込まれているかは簡単に探知できる。そのため、悪用者は正規の紙類やバッグ等からＩＣタグを取り出し、偽物に埋め込むことで、当該偽物をあたかも真正品として読取装置に判定させることが可能となってしまう。
【課題を解決するための手段】
【０００４】  そこで、ダミーＩＣタグを正規ＩＣタグと一緒に紙類やバッグ等に埋め込む。
【発明の効果】
【０００５】  正規ＩＣタグの悪用を防ぐことができる。
【発明を実施するための最良の形態】
【実施例】
【０００６】  ＩＣタグは接触型・非接触型（無線型）、読出専用型・読み書き可能型がある。本発明は、特に限定するわけではないが、紙類やバッグ等に埋め込むものとして、非接触型が本発明の用途として好ましく、正贋判定用として、読出専用型が本発明の用途に好ましい。【０００７】  紙類やバッグ等に予め割り当てられた番号が記録された正規ＩＣタグを用意する。例えば、紙類として紙幣であれば、割り当て番号００００００００〜００００１０００（二進法）が記録されたＩＣタグを正規ＩＣとして用意する。一方、ある特定のブランドのバッグには割り当て番号１０００００００〜１０００１０００（二進法）が記録されたＩＣタグを正規ＩＣとして用意する。そして、ダミーＩＣタグとして、割り当て番号１１００００００〜１１００１０００（二進法）が記録されたＩＣタグを用意する。このように、正規とダミーとで異なる番号が割り当てられていれば，読出装置が正規割り当て番号範囲にあるＩＣタグを読み出すことで正贋を判定できる。また、ダミーＩＣタグには、番号が読み出せないものを用いてもよい。番号が読み出せないものとして、例えば、ＩＣタグ製造工程で不良と判定されたものを使うと、従来は不良品として廃棄されていたものを再利用することになり、製造歩留まりが実質１００％に近くなる。光やＸ線を使って見た際のダミーの外観または形状が正規と同一であれば、悪用者は正規ＩＣタグを簡単に見つけられない。そのため、ダミーを含めた複数のＩＣタグを紙類やバッグ等から取り出して偽物に埋め込む作業が必要となるとともに、正規の紙類やバッグ等に複数のＩＣタグ取り出し痕が残ることとなる。取り出し痕が多ければ、ブランドバッグなどはもはや使い物にならなくなるので、ダミーＩＣタグを利用する本発明はＩＣタグの悪用を防ぐことができる。ダミーＩＣタグがランダムに紙類やバッグ等内に配置してあれば、なおさらである。なお、従来の不良品はダミーＩＣとしては良品といえるが、本願では「不良品」ということとする。【０００８】  紙類やバッグ等のＩＣタグを読み取る読取装置は、正規ＩＣタグの番号だけでなくダミーＩＣタグの番号も読み出すこととなる。従って、最初に読み取った番号がダミーＩＣタグの番号だからといって、それだけを見て偽物である旨の出力をしてはならない。読取対象物の全てのＩＣタグが正規ＩＣタグの番号範囲にないことを確認して初めて、偽物である旨の出力をするように構成されていなければならない。そのため、例えば読取対象がバッグであれば、割り当て番号１０００００００〜１０００１０００が登録された読取装置で一つのバッグの複数のＩＣタグを順次読取り、当該割り当て番号の範囲にある正規ＩＣタグの存在を見つけた場合には即真正品である旨を出力する。この場合には、残りのダミーＩＣタグを読み取る必要がなく、正贋判定が早くできる。もちろん、全てのＩＣタグを読み取ってから真正品であるか偽物であるかを出力してもよい。読取装置の具体的な動作の一例としては、読取対象を走査する際に読取ボタンを押すものとし、読取ボタンを押し続けている間を読取対象一つの読取作業とし、ボタンを開放した時点までに正規ＩＣタグの存在が見つけられなければ当該読取対象は偽物である旨の出力をする。ボタンを押し続けている間に正規ＩＣタグを見つければ即、真正品である旨を出力する。【０００９】  読取対象が紙幣等の紙類である場合には、大量の紙類をフィーダー等で一枚一枚読取部に供給する供給部を読取装置に設け、読み取った番号と読取対象の一枚との対応付けを行う必要があるので次の一枚との区切りをつけるために読取対象の一枚が読取部で読取終わったかどうかを判定する判定部をさらに設ける。この読取装置は、読取対象の一枚に含まれる複数のＩＣタグから読み取られた番号が読取対象の割り当て番号とすべて違うかどうかを判断する判断手段としてコンピュータソフトウェアが組み込まれている。判断結果として偽物と判定されたものは、正規のものと仕分けられねばならない。従って、この読取装置は、当該判断手段により当該読取対象の一枚に含まれる複数のＩＣタグから読み取られた番号が当該紙類に割り当てられた番号とすべて違うと判断した場合に当該読取対象の一枚を正規のものが置かれる通常トレイと異なる異常トレイに仕分ける仕分け手段が設けられている。【００１０】  ダミーＩＣタグは、ＩＣタグ製造工程において不良と判断された不良品ＩＣタグを用いるとよい。不良品は良品と外観が同一だからである。製造工程において歩留まり（良品／製造総数）が悪くても、不良品をダミーＩＣタグとすることで、実質的な歩留まりが上がることになる。この不良品と良品はセットにして販売される。購入者は紙類やバッグ等に良品ＩＣタグ一つに対し不良品ＩＣタグ複数を埋め込む。【００１１】  ダミーＩＣタグが正規ＩＣタグよりも数量を多くした場合、正規ＩＣタグを取り出す確率が小さくなる。ただし、確率の問題であり、物品の価値によっては、ダミーＩＣタグの数が正規ＩＣタグよりも少なくてもよい。【００１２】  同一割り当て番号のＩＣタグ製造工程でできた不良品をダミーＩＣタグとして使用すると、稀に不良品と判定されても正常に動作する可能性がある。その場合、ダミーＩＣタグの番号と正規ＩＣタグの番号とが干渉することになる。そこで、異なる割り当て番号のＩＣタグ製造工程で発生した不良品をダミーＩＣタグとしてセットに用いる。【００１３】  製造歩留まりが向上すると、不良品の数では、ダミーＩＣタグに必要な数を確保できなくなる。そこで、ダミーＩＣタグ専用の割り当て番号を設けるのがよい。割り当て番号がある場合、悪用者が仮に何らかの読取装置を持っていたとしても読取対象に割り当てられた番号を知らなければ、ダミーなのか正規なのか判別できない。ただし、悪用者がＸ線等のＩＣタグの外観または形状しか判別できない装置をもっている場合には、ダミーＩＣタグに割り当て番号が記録されていなくてもよい。【００１４】  なお、ダミーＩＣタグの割り当て番号をバッグといった広い範囲で同一とし、正規ＩＣタグにはブランド毎に異なる割り当て番号を与えるといった番号割り当てをすれば、正規とダミーとの組み合わせで対象物品を特定できるとともに、組み合わせでしか悪用ができなくなるので、悪用を抑制できる。
【産業上の利用可能性】
【００１５】  ＩＣタグを用いた紙類の製造等の産業で利用できる。